(57)【要約】【課題】安定して把持することが可能な爪切りを提供する。【解決手段】爪切り１は、開状態に付勢され、開閉可能な対向する上刃部材２１０及び下刃部材２２０と、上刃部材２１０及び下刃部材２２０を保持する本体部１００と、本体部１００に対して回転可能に連結され、かつ、下刃部材２２０と連結され、外力が加えられると本体部１００に対して回転するとともに、上刃部材２１０及び下刃部材２２０が閉状態となるように下刃部材２２０を移動させるレバー部３００と、を備える。本体部１００は、上刃部材２１０及び下刃部材２２０を保持する長手方向の一端部と反対側の他端部に、複数の突出部を有する滑り止め部１４０を有する。【選択図】図１
0003206877.tif 000002
【実用新案登録請求の範囲】
【請求項１】
開状態に付勢され、開閉可能な対向する一対の刃部材と、
前記一対の刃部材を保持する本体部と、
前記本体部に対して回転可能に連結され、かつ、前記一対の刃部材のうち一方の刃部材と連結され、外力が加えられると前記本体部に対して回転するとともに、前記一対の刃部材が閉状態となるように前記一方の刃部材を移動させるレバー部と、
を備え、
前記本体部は、前記一対の刃部材を保持する長手方向の一端部と反対側の他端部に、複数の突出部を有する、
ことを特徴とする爪切り。
【請求項２】
前記複数の突出部は、前記長手方向と垂直な方向に延びるように、前記他端部に形成されている、
ことを特徴とする請求項１に記載の爪切り。
【請求項３】
前記複数の突出部は、前記長手方向と垂直な面から所定の角度だけ傾斜した傾斜面上に形成される、
ことを特徴とする請求項１または２に記載の爪切り。
【請求項４】
前記レバー部は、前記本体部と対抗する面と反対側の面に少なくとも１つの凹部を有する、
ことを特徴とする請求項１から３のいずれか１項に記載の爪切り。
【請求項５】
前記一対の刃部材の開口の側部を覆う第１側壁部と、前記第１側壁部から前記一対の刃部材の開閉方向に突出し、前記本体部の側面の一部と接する第２側壁部と、を有するカバー部と、
前記開閉方向に延び、前記レバー部と、前記本体部と、前記一対の刃部材と、前記カバー部と、前記開閉方向を中心として回転可能に連結する軸部と、
をさらに備える、
ことを特徴とする請求項１から４のいずれか１項に記載の爪切り。
【請求項６】
前記本体部は、前記レバー部と対抗する面と反対側に、前記開閉方向にくぼんだ凹部を有する、
ことを特徴とする請求項１から５のいずれか１項に記載の爪切り。
【考案の詳細な説明】
【技術分野】
【０００１】
本考案は、爪切りに関する。
【背景技術】
【０００２】
従来、てこの原理を利用して爪を切断するタイプの爪切りは、対向する一対の刃部材と、刃部材の開閉を操作するレバー部とから主に構成される。このような爪切りでは、ユーザがレバー部の力点を押すと、レバー部が支点を中心に回転し、レバー部の作用点が一方の刃部材の表面を押圧する。そして、押圧された刃部材が他方の刃部材と噛み合うことにより、爪が切断される（例えば、特許文献１参照）。
【先行技術文献】
【特許文献】
【０００３】
【特許文献１】特開平１１−１６９２２７号公報
【考案の概要】
【考案が解決しようとする課題】
【０００４】
特許文献１で示されるような爪切りにおいて、ユーザは、刃部の下面と、レバー部の上面とを挟むように把持し、刃部に対してレバーを上下させることにより爪を切る。しかし、老人等の握力が弱いユーザにとって、安定して爪切りを把持することが困難な場合がある。
【０００５】
本考案は、安定して把持することが可能な爪切りを提供することを目的とする。
【課題を解決するための手段】
【０００６】
上記目的を達成するため、本考案に係る爪切りは、
開状態に付勢され、開閉可能な対向する一対の刃部材と、
前記一対の刃部材を保持する本体部と、
前記本体部に対して回転可能に連結され、かつ、前記一対の刃部材のうち一方の刃部材と連結され、外力が加えられると前記本体部に対して回転するとともに、前記一対の刃部材が閉状態となるように前記一方の刃部材を移動させるレバー部と、
を備え、
前記本体部は、前記一対の刃部材を保持する長手方向の一端部と反対側の他端部に、複数の突出部を有することを特徴とする。
【考案の効果】
【０００７】
本考案によれば、ユーザは爪切りを安定して把持することができる。
【図面の簡単な説明】
【０００８】
【図１】実施形態に係る爪切りの外観構成を示す図である。
【図２】（ａ）は使用状態における爪切りの側面図、（ｂ）は収容状態における爪切りの側面図である。
【図３】本体部の外観図である。
【図４】滑り止め部の外観図である。
【図５】刃部の外観図である。
【図６】レバー部の外観図である。
【図７】カバー部の外観図である。
【図８】軸部の外観図である。
【考案を実施するための形態】
【０００９】
以下、本考案の実施形態について図面を参照して説明する。
【００１０】
図１は、本考案の実施形態に係る爪切り１の外観構成を示す図である。図１に示すように、爪切り１は、本体部１００と、刃部２００と、レバー部３００と、カバー部４００と、軸部５００とから構成される。
【００１１】
図２（ａ）及び（ｂ）に、爪切り１の側面図を示す。なお、本実施形態では、以下のとおり定義された方向及び状態を用いて説明する。図２（ａ）及び（ｂ）の紙面左方向、すなわち、爪切り１の長手方向であって、刃部２００が設けられている方向を前方とし、紙面右方向を後方とする。また、刃部２００は、図２（ａ）及び（ｂ）の紙面上下方向に開閉可能であり、この刃部２００の開閉方向を、爪切り１の上下方向と呼ぶ。また、図２（ａ）及び（ｂ）の紙面垂直方向を、爪切り１の左右方向と呼ぶ。また、爪切り１は、図２（ａ）及び（ｂ）に示すように変形可能であり、図２（ａ）の状態を使用状態、図２（ｂ）の状態を収容状態と呼ぶ。
【００１２】
本体部１００は、刃部２００を保持する部材である。図３に本体部１００の外観図を示す。本体部１００は、例えば、アルミ材料の押出により形成される。図３に示すように、本体部１００は、刃支持部１１０と、本体上側凹部１２０と、本体下側凹部１３０と、滑り止め部１４０と、を有する。
【００１３】
刃支持部１１０は、本体部１００の前側に設けられ、刃部２００を開閉可能に支持する。刃支持部１１０は、上支持部１１１と、下支持部と１１２とを有し、上支持部１１１及び下支持部１１２とが、側方から見て、前方に向かって開口する略Ｖ字型となるように構成される。
【００１４】
上支持部１１１は、その前端部に、軸部５００が挿通されるための挿通孔１１３を有する。また、上支持部１１１は、挿通孔１１３の後方に、使用状態において、後述するように支点として機能するレバー下側凸部３１０と当接する段差部１１４を有する。
【００１５】
本体上側凹部１２０は、レバー部３００と対抗する面、すなわち上面において、緩やかに下に向かって凹む面である。図２（ｂ）に示すように、本体上側凹部１２０は、収容状態において、後述するレバー上側凸部３２０を収容する。
【００１６】
本体下側凹部１３０は、本体部１００の下面において、緩やかに上に向かって凹む面である。本体下側凹部１３０には、使用状態において、ユーザが爪切り１を片手で把持する際、例えばユーザの中指及び薬指が置かれる。
【００１７】
滑り止め部１４０は、使用状態において、ユーザが爪切り１を片手で把持する際、ユーザの人差し指が置かれる部分である。図４に滑り止め部１４０の外観図を示す。図４に示すように、滑り止め部１４０は、本体部１００の後端部に設けられた、複数の突出部１４１から構成される。具体的には、複数の突出部１４１は、前後方向と垂直な面から、上方ほど後方に延びるように所定の角度だけ傾斜した傾斜面上に形成されている。また、複数の突出部１４１は、左右方向に延びるように形成されている。滑り止め部１４０に置かれたユーザの人差し指は、複数の突出部１４１により、滑り止め部１４０から滑って外れることが抑制される。
【００１８】
刃部２００は、ユーザの爪を切断するための刃部材を有する。図５に刃部２００の外観図を示す。図５に示すように、刃部２００は、上下方向に対抗する一対の刃部材である、上刃部材２１０と下刃部材２２０とから構成される。上刃部材２１０及び下刃部材２２０は、それぞれ前端に上刃２１１及び下刃２２１を有する金属板から構成され、前方向に開く開口２３０が形成されるように後端部で上下方向に連結している。従って、刃部２００は、開口２３０の領域において上下方向に開閉可能であり、かつ外力が加えられていない状態において開口２３０が開状態となるような弾性力を有する。また、上刃部材２１０及び下刃部材２２０の前端部は、軸部５００が挿通するための挿通孔２１２，２２２を有する。
【００１９】
レバー部３００は、爪切り１の使用時にユーザにより操作されるものである。レバー部３００は、軸部５００と、後述するピン３４０とにより、本体部１００に対して回転可能に連結される。また、レバー部３００は、軸部５００と、ピン３４０とにより、下刃部材２２０と連結される。
【００２０】
図６にレバー部３００の外観図を示す。なお、レバー部３００は、後述するピン３４０を中心に回転することにより、図２（ａ）及び（ｂ）に示すようにその上下が逆転可能である。従って、以下の説明では、レバー部３００が図２（ａ）の状態、すなわち使用状態における上下方向を用いて、各部を説明する。
【００２１】
図６に示すように、レバー部３００は、その前方に、下に向かって突出するレバー下側凸部３１０と、レバー上側凸部３２０と、切欠部３３０と、ピン３４０と、を有する。
【００２２】
レバー下側凸部３１０は、レバー部３００の前端部に設けられ、使用状態時に本体部１００の段差部１１４と接して支点として機能する。
【００２３】
レバー上側凸部３２０は、レバー下側凸部３１０の後方に設けられ、上に向かって緩やかに突出する部分である。レバー上側凸部３２０は、図２（ｂ）に示すように、収容状態において、本体部１００の本体上側凹部１２０に収容される。また、レバー上側凸部３２０は、その上面の後方部分に、下方に向かって緩やかにくぼむレバー上側凹部３２１，３２２を有する。使用状態において、ユーザが爪切り１を片手で把持する際、レバー上側凹部３２１，３２２のいずれかにユーザの親指が置かれる。
【００２４】
切欠部３３０は、レバー下側凸部３１０の前方に設けられ、前方に向かって開口する部分である。切欠部３３０は、爪切り１が組み立てられた際に、軸部５００を収容する。また、切欠部３３０の両側には、左右方向に貫通する挿通孔３３１，３３２を有する。挿通孔３３１，３３２には、爪切り１が組み立てられる際に、ピン３４０が挿通される。
【００２５】
ピン３４０は、レバー部３００を軸部５００に連結する部品である。ピン３４０は、爪切り１が組み立てられる際に、レバー部３００の挿通孔３３１，３３２と、軸部５００の挿通孔５１１に挿通される。これにより、レバー部３００は、ピン３４０を中心に、すなわち、軸５００の軸方向に垂直な方向を中心に、軸５００に対して回転可能になる。
【００２６】
カバー部４００は、刃部２００の側面を覆い、刃部２００により切断された爪の飛散を防止するものである。図７にカバー部４００の外観図を示す。図７に示すように、カバー部４００は、底面部４１０と、側壁部４２０，４３０と、を有し、前後方向から見て、断面略コの字型に形成される。
【００２７】
底面部４１０は、刃部２００の下方に設けられ、側壁部４２０，４３０を接続するように形成される。また、底面部４１０は、前端部に、軸部５００を挿通するための挿通孔４１１を有する。
【００２８】
側壁部４２０，４３０は、刃部２００の側方に設けられ、第１側壁部４２１，４３１と、第２側壁部４２２，４３２とを有する。第１側壁部４２１，４３１は、底面部４１０から上方に延び、刃部２００の開口２３０の側部を覆う。これにより、第１側壁部４２１，４３１は、爪が切断された際に開口２３０の側方から飛散することを防止する。第２側壁部４２２，４３２は、第１側壁部４２１，４３１から上方に突出し、本体部１００の上支持部１１１の側面と接する。すなわち、第２側壁部４２２，４３２は、上支持部１１１を左右方向から挟むように位置する。そのため、刃部２００及びカバー部４００は、第２側壁部４２２，４３２により、軸部５００を中心とする回転を阻止される。
【００２９】
軸部５００は、本体部１００と、刃部２００と、レバー部３００と、カバー部４００と、を上下方向を中心として回転可能に連結するものである。図８に軸部５００の外観図を示す。図８に示すように、軸部５００は、柱部５１０と、頭部５２０と、を有する。
【００３０】
柱部５１０は、上下方向に延びる円柱形状であって、本体部１００の挿通孔１１３と、刃部２００の挿通孔２１２，２２２と、レバー部３００の切欠部３３０と、カバー部４００の挿通孔４１１に挿通される部分である。柱部５１０は、その上端部に、上下方向と垂直な方向、すなわち径方向に貫通し、ピン３４０を挿通するための挿通孔５１１を有する。
【００３１】
頭部５２０は、柱部５１０が挿通孔１１３，２１２，２２２，４１１及び切欠部３３０に挿通された際に、カバー部４００の底面部４１０の下面に係止される部分である。
【００３２】
次に、本実施形態に係る爪切り１の組み立て方法の一例について説明する。
【００３３】
まず、本体部１００の刃支持部１１０に、刃部２００を配置する。そして、刃部２００の下方にカバー部４００をかぶせる。また、本体部１００の上方にレバー部３００を配置する。そして、カバー部４００の挿通孔４１１、刃部２００の挿通孔２２２，２１２、本体部１００の挿通孔１１３、及びレバー部３００の切り欠き部３３０の順に、下方から軸部５００の柱部５１０を挿通する。そして、ピン３４０を、レバー部３００の挿通孔３３１，３３２及び軸部５００の挿通孔５１１に挿通する。これにより、図１、図２（ａ）及び（ｂ）に示すように、爪切り１が組み立てられる。
【００３４】
次に、本実施形態に係る爪切り１の動作について説明する。
【００３５】
まず、使用状態の爪切り１において、図２（ａ）に示すように、レバー部３００は、レバー上側凸部３２０が上方向に突出するように位置している。また、刃部２００の開口２３０は開状態である。この使用状態において、ユーザは、例えば、親指をレバー部３００のレバー上側凹部３２１，３２２のいずれか、人差し指を本体部１００の滑り止め部１４０、中指及び薬指を本体部１００の本体下側凹部１３０に置くことにより、爪切り１を片手で把持する。
【００３６】
そして、ユーザが爪切り１を把持した状態で、レバー部３００が下方に移動するよう親指に力を加えると、レバー部３００は、親指が置かれたレバー上側凹部３２１，３２２のいずれかを力点として、本体部１００の段差部１１４と接するレバー部３００のレバー下側凸部３１０を支点として回転する。そして、レバー部３００のピン３４０が、作用点として上方向の力を受けることにより、上刃部材２１０及び下刃部材２２０との間の弾性力に抗して、軸部５００の頭部５２０の上面に係止されたカバー部４００の底面部４１０を介して下刃部材２２０を上方へ移動させる。これにより、開口２３０に配置されたユーザの爪は、上刃部材２１０及び下刃部材２２０が噛み合う、すなわち開口２３０が閉状態になることにより切断される。また、この状態から、ユーザがレバー部３００への力を抜くと、上刃部材２１０及び下刃部材２２０との間の弾性力に従って、下刃部材２２０とともにカバー部４００の底面部４１０及び軸部５００の頭部５２０が下方へ移動する。これに伴い、ピン３４０が下方へ移動し、レバー部３００は、図２（ａ）に示す状態に戻る。
【００３７】
なお、ユーザは、上述のように爪切り１を片手で把持して使用する他、けがやリウマチ等の疾患で指先や腕の自由が利かない人はテーブルや台などの平面上に置いて自助具として使用することも可能である。具体的には、本体部１００の本体下側凹部１３０の前端部および後端部が平面上に接するように置かれた状態で、レバー部３００を上から本体部１００に向かって押すことにより、上述した場合と同様に爪切り１が動作し、爪を切断することができる。また、上記のように爪切り１が平面上に置かれたとき、刃部２００の前端部は、平面との間に隙間を持ち、かつ刃部２００の開口２３０がわずかに上向きとなるように安定して位置する。従って、ユーザは、開口２３０の適切な場所に爪を当てやすく、手の平でレバー部３００を上から押して爪を切断することができる。
【００３８】
次に、図２（ａ）に示す使用状態から図２（ｂ）に示す収容状態への爪切り１の変形方法の一例について説明する。まず、図２（ａ）に示す使用状態から、レバー部３００を、レバー上側凸部３２０が下方向に突出するように、ピン３４０を中心に回転させる。そして、レバー上側凸部３２０が本体部１００の本体上側凹部１２０に収容されるように、レバー部３００を軸部５００を中心に回転させる。これにより、爪切り１は、図２（ｂ）に示す収容状態になる。
【００３９】
以上のように構成される爪切り１において、ユーザは、親指をレバー部３００のレバー上側凹部３２１，３２２のいずれか、人差し指を本体部１００の滑り止め部１４０、中指及び薬指を本体部１００の本体下側凹部１３０に置くことにより、爪切り１を把持することができる。このように爪切り１を把持した場合、複数の突出部１４１を有する滑り止め部１４０により人差し指が本体部１００から外れることを防止しつつ、手の力が弱いユーザであっても、安定して爪切り１を把持することができる。
【００４０】
また、レバー部３００は、使用状態において、上面にレバー上側凹部３２１，３２２を有する。そのため、ユーザは、親指を安定してレバー上側凹部３２１，３２２に置くことができる。また、ユーザは、爪の硬さや爪切り１の持ち方の好みに応じて、親指の位置をレバー上側凹部３２１，３２２のいずれかに変えることができる。
【００４１】
また、カバー部４００は、本体部１００の上支持部１１１の側面と接する第２側壁部４２２，４３２を有する。そのため、刃部２００及びカバー部４００が、軸部５００を中心に本体部１００に対して相対的に回転することを防止できる。
【００４２】
また、本体部１００は、上に向かって緩やかにくぼむ本体下側凹部１３０を有する。従って、ユーザは、本体下側凹部１３０に中指及び薬指を置くことにより、安定して爪切り１を把持することができる。また、このように本体部１００をくぼませる形状とすることにより、爪切り１の軽量化を図ることができる。
【００４３】
また、ユーザが、子供や介護等の理由により、他人の爪を切る場合、自身の爪を切るとき以上に注意が必要となる。このような場合において、ユーザは、相手に正対した姿勢で爪切り１を使用することになるが、本体下側凹部１３０を人差し指、中指、薬指及び小指で握るとともに、レバー上側凹部３２１，３２２のいずれかに親指をおくことにより、ユーザの手の平の大きさや握力に応じた場所に指を置くことができ、爪切り１を安定した状態で把持することができる。
【００４４】
また、上記のように、ユーザは、自身が健常者である場合に安心して爪切り１を使用できるとともに、自助具や介護用品としても使用できる。さらに、爪切り１は、図２（ｂ）に示すようにコンパクトな収容状態に変形することもできるため、簡易に携帯することができる。
【００４５】
以上で実施形態の説明を終了するが、上記実施形態は一例であり、爪切り１の具体的な構成は上記で説明したものに限られず、以下のような変形も可能である。
【００４６】
例えば、上記の実施形態では、滑り止め部１４０を構成する複数の突出部１４１は、左右方向に延びるように形成されている。しかし、複数の突出部１４１の形状はこれに限られない。例えば、複数の突出部１４１は、複数の突起から構成されていてもよい。
【００４７】
また、上記の実施形態では、レバー部３００が、２つのレバー上側凹部３２１，３２２を有する例について説明した。しかし、レバー部３００のレバー上側凹部の数はこれに限られない。例えば、レバー部３００は、１つのレバー上側凹部を有してもよく、また、３つ以上のレバー上側凹部を有してもよい。
【００４８】
また、上記の実施形態において、カバー部４００が第２側壁部４２２，４３２を有する例について説明した。しかし、カバー部４００は第２側壁部４２２，４３２を持たなくてもよい。すなわち、刃部２００及びカバー部４００が、軸部５００を中心に本体部１００に対して相対的に回転できるように構成されてもよい。この場合、ユーザは、爪を切りたい指に対して、刃部２００を任意の角度に設定可能であるため、爪を切りたい指を刃部２００に対して移動させなくてもよく、楽な姿勢で爪を切ることができる。
【符号の説明】
【００４９】
１      爪切り
１００  本体部
１１０  刃支持部
１１１  上支持部
１１２  下支持部
１１３  挿通孔
１１４  段差部
１２０  本体上側凹部
１３０  本体下側凹部
１４０  滑り止め部
１４１  突出部
２００  刃部
２１０  上刃部材
２１１  上刃
２１２  挿通孔
２２０  下刃部材
２３０  開口
２２１  下刃
２２２  挿通孔
３００  レバー部
３１０  レバー下側凸部
３２０  レバー上側凸部
３２１，３２２  レバー上側凹部
３３０  切欠部
３３１，３３２  挿通孔
３４０  ピン
４００  カバー部
４１０  底面部
４１１  挿通孔
４２０，４３０  側壁部
４２１，４３１  第１側壁部
４２２，４３２  第２側壁部
５００  軸部
５１０  柱部
５１１  挿通孔
５２０  頭部
【図１】
0003206877.tif 000003
【図２】
0003206877.tif 000004
【図３】
0003206877.tif 000005
【図４】
0003206877.tif 000006
【図５】
0003206877.tif 000007
【図６】
0003206877.tif 000008
【図７】
0003206877.tif 000009
【図８】
0003206877.tif 000010